(57)【要約】【課題】  直接・間接的に省資源及び省エネルギーなど良好な地球環境保持に貢献する経済的なリサイクルイベントグッズ（ＲＥＧ）レンタルシステムを提供する。【解決手段】  本発明のＲＥＧレンタルシステムは、各種イベント開催ユーザ４１に、イベントを象徴する所望の図柄をプリントし形成されたプリントマークＭを取付けたイベントで使用する各種ＲＥＧ  １００ａをレンタルする段階と、イベント終了後にイベント開催ユーザからＲＥＧ  １００ｂを回収してＲＥＧ  １００ｂからプリントマークＭを取外し、クリーニングし必要に応じて部分的補修を行う再生段階と、を少なくとも有し、再生したＲＥＧ  １００ｃを新たにイベント開催ユーザに、所望のプリントマークを取付け直して繰返しレンタルする。ＲＥＧ  １００ａは再生可能な環境配慮型素材から形成される。【選択図】          図１
2011253508.tif 000002
【特許請求の範囲】
【請求項１】
各種のイベントを開催し、その際にリサイクルイベントグッズ（以下、ＲＥＧという）を使用してくれるユーザに対して、前記イベントを象徴する文字、符記号及び図形の一部又は全部からなる図柄をプリントして形成されたプリントマークをＲＥＧ本体に取付けてなる前記ＲＥＧをレンタルする段階と、
前記イベント終了後に前記ユーザから前記レンタルしたＲＥＧを回収して前記使用済みのＲＥＧから前記プリントマークを取外し、クリーニングし、選択的に部分的補修してＲＥＧ本体を再生する再生段階と、を少なくとも有し、
新たに前記ユーザ又は別のユーザに対して、そのイベントを象徴する新たなプリントマークを前記再生したＲＥＧ本体に取付け直した上で繰返しレンタルすることを特徴とするリサイクルイベントグッズレンタルシステム。
【請求項２】
前記ＲＥＧ本体を製作するＲＥＧ製造部署と、
前記プリントマークを作成して前記ＲＥＧ本体に取付けるマーク製造部署と、
予め前記ユーザ及び前記ユーザのイベント内容を取纏めた上で、前記プリントマークを取付けたＲＥＧを前記ユーザに発送し、使用済みの前記ＲＥＧを前記ユーザから回収するイベント取纏め部署と、
前記回収した使用済みのＲＥＧから前記プリントマークを取外し、クリーニングし、選択的に部分的補修を行なって再生ＲＥＧ本体とするＲＥＧ再生部署と、
前記ＲＥＧの、前記イベント取纏め部署からのレンタル受注、前記ＲＥＧ製造部署への発注、前記マーク製造部署への前記プリントマーク作成・取付け発注、及び前記ＲＥＧ再生部署への再生発注を含む全体取纏めを行うシステム取纏め部署と、を有することを特徴とする請求項１記載のリサイクルイベントグッズレンタルシステム。
【請求項３】
前記ＲＥＧ又は前記ＲＥＧ本体を繰返し使用可能な収容手段内に収容して前記部署間を運送する運送部署をさらに有することを特徴とする請求項２記載のリサイクルイベントグッズレンタルシステム。
【請求項４】
前記収容手段は、耐水性及び耐久性を有し、繰返し使用及び再生可能なプラスチックを含む環境配慮型素材からなるダンボール型又は折畳み型ボックスであることを特徴とする請求項３記載のリサイクルイベントグッズレンタルシステム。
【請求項５】
前記レンタルされたＲＥＧは、前記再生段階で部分的補修を含む再生可能な良品を選択して再生され、
大幅な補修が必要で採算性の無い不良品及び使用後取外されたプリントマークは、破砕後に新製品再生又は廃却を含む処理を行なうリサイクル部署に引取られることを特徴とする請求項１又は請求項２記載のリサイクルイベントグッズレンタルシステム。
【請求項６】
前記ＲＥＧは、再生可能な環境配慮型素材から形成され、
前記イベントで使用済みの不良品は前記リサイクル部署で破砕後新たな再生品にリサイクルされることを特徴とする請求項５記載のリサイクルイベントグッズレンタルシステム。
【請求項７】
前記ＲＥＧは、各種イベントで着用されるエプロン、ハチマキ、アームカバー、ハッピ、シャツ類、ジャケット類、着物、コスプレ、及び腕章を含む各種衣料品のいずれか、あるいは、のぼり旗、暖簾、テーブルカバー、バナースタンド、及びテント類を含む繊維製品又は布製品のいずれかであることを特徴とする請求項１乃至請求項６のいずれか１項記載のリサイクルイベントグッズレンタルシステム。
【請求項８】
前記ＲＥＧは、再生ポリエステル繊維、再生ＰＥＴ繊維、羊毛繊維、麻繊維、綿繊維、バナナ繊維、竹繊維、トウモロコシ繊維、及び廃植物繊維を含むエコ繊維のいずれかから形成されることを特徴とする請求項１乃至請求項７のいずれか１項記載のリサイクルイベントグッズレンタルシステム。
【請求項９】
前記プリントマークは、
剥離性を有する紙又はフィルムにスクリーン、オフセット、インクジェット、及びカラーコピーを含む印刷技法のいずれかを用いて前記図柄が加工され形成された表現層と、
前記表現層の上に洗濯、摩擦、伸びに対して耐久性を有するウレタン、アクリルを含む合成樹脂がスクリーン印刷にて形成された中間層と、
前記表現層及び中間層の上にスクリーン印刷を利用しウレタン、ナイロン、ポリエステルを含む熱可塑性樹脂が形成されてなり、前記ＲＥＧ本体に接着する接着層と、からなり、
前記中間層は、前記耐久性強度に対応して前記スクリーン印刷の加工回数が選定されるとともに、
前記接着層は、再剥離性を有する接着強度を保つように、前記ＲＥＧの素材に応じて熱可塑性樹脂の種類及び厚みが決定され、
前記ＲＥＧに接着し取付け後、前記ＲＥＧから剥離して取外し可能に形成されることを特徴とする請求項１、請求項２、請求項５乃至請求項８のいずれか１項記載のリサイクルイベントグッズレンタルシステム。
【請求項１０】
前記プリントマークは、
スクリーン、オフセット、インクジェット、及びカラーコピーを含む印刷技法のいずれかを用い、前記ＲＥＧ本体の素材に対応するような接着強度及び再剥離性を有する接着剤をインクに混入して前記図柄を前記ＲＥＧ本体に直接プリントすることにより、前記ＲＥＧ本体に取付け後、前記ＲＥＧ本体から剥離して取外し可能に形成されることを特徴とする請求項１、請求項２、請求項５乃至請求項８のいずれか１項記載のリサイクルイベントグッズレンタルシステム。
【請求項１１】
前記ＲＥＧには、複数回のレンタル使用に耐える素材から形成され、個々の前記ＲＥＧを識別してコンピュータ管理するための特定のＲＥＧ識別手段が取付けられることを特徴とする請求項１乃至請求項１０のいずれか１項記載のリサイクルイベントグッズレンタルシステム。
【請求項１２】
前記ＲＥＧ識別手段は、データの書込み及び読出し可能な電子タグ（又はＩＣタグ）であることを特徴とする請求項１１記載のリサイクルイベントグッズレンタルシステム。
【請求項１３】
前記ＲＥＧの、前記イベント取纏め部署からのレンタル受注、前記ＲＥＧ製造部署への発注、前記マーク製造部署へのプリントマーク作成・取付け発注、及び前記ＲＥＧ再生部署への再生発注を含む全体取纏めを前記電子タグ（又はＩＣタグ）と連携させたコンピュータ及びインターネットを介して一括管理するためのＲＥＧレンタル管理システムを備えることを特徴とする請求項１乃至請求項１２のいずれか１項記載のリサイクルイベントグッズレンタルシステム。
【請求項１４】
前記ＲＥＧレンタル管理システムは、前記ＲＥＧ識別手段が取付けられた個々のＲＥＧを識別して、
ＲＥＧ識別手段の物件番号、ユーザ情報、ＲＥＧ固有情報、製造情報、運用情報、レンタル条件を含む登録事項の在庫リストの作成を行う段階と、
前記物件番号に対応する前記各登録事項の書込みを行う段階と、
繰返し作業後の前記登録事項のＲＥＧ識別手段への書換えを行う段階と、
納品書、請求書出しを含む財務・会計管理を行う段階と、
前記ＲＥＧのレンタル状況の管理を行う段階と、を少なくとも有することを特徴とする請求項１３記載のリサイクルイベントグッズレンタルシステム。
【発明の詳細な説明】
【技術分野】
【０００１】
本発明は、各種イベント開催ユーザに、イベントを象徴する所望の図柄をプリントしたマークを再剥離可能に取付けた各種イベント用グッズをレンタルし、イベント終了後回収してクリーニングし再生したリサイクルイベントグッズ（以下、ＲＥＧという）を新たにイベント開催ユーザに、所望のプリントマークを取付け直して繰返しレンタルするＲＥＧレンタルシステムに関する。
【背景技術】
【０００２】
近年、世界的規模で資源枯渇、地球温暖化、生態系影響、健康影響、酸性化、オゾン層破壊、あるいは生活環境影響等への色んな分野における早急な対応の必要性が叫ばれている。生産面及び各種サービス面おいては、例えば、製品に使用する素材の改善、必要なエネルギーや水資源あるいは廃棄物・排出物を削減した製品・サービス、環境情報を表示した製品・サービス、サービスに代替させる製品あるいは環境改善に役立つ製品・サービスの機能向上などの開発が活発化されつつある
【０００３】
また、これらの製品を使用するときには、省エネルギー・節水型で低公害・低エミッション型の製品・サービスが求められている。さらに、製品を使い終わった時点で廃棄するときには、廃棄物量を削減するとともに、有害物質や環境汚染物質を削減した製品・サービスが求められている。
【０００４】
こうした情勢の中で、エコ素材の一種であるポリエステル製品を使用された後に回収し、再び原料に戻して新製品に再生させる完全循環型リサイクルシステムである「エコサークル」（商品名、帝人ファイバー株式会社）や、各種製品を繰返しレンタルし、あるいはリサイクルして上記要求の一端に答えようとするサービスの提案が幾つかなされつつあり、その代表的な次の５例がある。
【０００５】
第１の例は、繰返して貸し出されるレンタル商品に複数回の繰返し作業に耐える材質に形成した特定のバーコードを取付けて個々のレンタル商品の識別ラベルとし、これをコンピュータ管理により、少なくとも、（ａ）バーコードと宛先、所属等登録事項の在庫リストの作成、バーコードの物件番号に対応する各要素の書込み、（ｂ）繰返し作業後の登録事項のシール出し、シールのレンタル商品への貼着、（ｃ）納品書、請求書出し、その他財務、会計管理、（ｄ）レンタル商品のレンタル状況の管理、を行なう繰返しレンタル商品の管理方法である（例えば、特許文献１）。
【０００６】
特許文献１の繰返しレンタル商品の管理方法は、特定のバーコードを使用してレンタル商品管理を信頼性あるものとし、省力化を計ることを目的とした繰返しレンタル商品の管理方法に関するもので、特にユニフォームレンタル業等における売上請求業務、ユーザ管理業務等をシステム化することのできる方法に関するものである。そして、対象とする繰返しレンタル商品とは、特定の相手に対して複数回その商品の回収−更正−出荷を繰り返す商品であって、特にクリーニングにより更正貸出しをする商品が最も好ましく、具体的には、ホテル、工場、病院、飲食店、レンタルブティックなどで使用される衣服やユニフォーム、布団、シーツ、タオル、枕カバーなど寝具、カーテン、テーブルクロス、ナプキンなどのインテリア用品等である。バーコードは、複数回のレンタル更生のための繰返し作業に耐える材質で、例えば、レンタルユニフォームの場合は複数回のクリーニングにも耐える必要があり、その場合は、細い強力糸による緻密な織物製バーコードが用いられる。
【０００７】
第２の例は、レンタル用衣類に付され、データを読書き可能なデータタグと、このデータタグに前記レンタル用衣類におけるリサイクル可能な部品を示すリサイクル情報を書込む書込手段と、前記レンタル用衣類をリサイクルするときは、前記データタグからリサイクル情報を読出す読出手段とを備えたレンタル用衣類リサイクルシステムである（例えば、特許文献２）。
【０００８】
特許文献２のレンタル用衣類リサイクルシステムは、レンタル衣類のリサイクル可能な部品を容易に有効活用することを目的として、製造メーカは、リネンサプライヤからの注文を受けて病院やホテルなどに貸与するユニフォームを縫製し、ユニフォームにデータタグとしての小型で薄型のＩＤタグをユニフォームの目立たない裾の裏側などに縫い付ける。リネンサプライヤにおいては、製造部署から納品されたユニフォームを要請に応じて病院やホテルなどの貸与先に貸し出し、それが汚れたら回収して洗濯し、再び貸与先に貸し出す。この場合、ＩＤタグには納品日、回収日などの運用情報が適宜記憶されるもので、その運用情報に基づいてユニフォームの管理を行うようになっている。
【０００９】
第３の例は、衣装の管理情報をコンピュータのデータベースへ登録しておき、該コンピュータは入荷した衣装の管理情報と当該衣装に取り付ける電子タグまたはＲＦＩＤタグの固有番号とを関連付ける手段を備えた衣装情報管理システムにおいて、前記コンピュータは、入荷した衣装の管理情報をデータベースで検索する手段と、入荷した衣装のカメラ撮影画像を解析して色識別情報を得る手段と、前記色識別情報と色データベースのマッチングで入荷した衣装の色を特定する手段と、前記衣装の色情報と入荷した衣装の管理情報がもつ色情報を比較する手段と、前記両色情報が合致する場合に当該衣装に貼り付ける電子タグまたはＲＦＩＤタグの固有番号と衣装情報の管理番号を関連付ける手段と、前記両色情報が合致しない場合に入荷した衣装がその管理情報と異なる旨の表示を行う手段と、を備えた衣装情報管理システムである（例えば、特許文献３）。
【００１０】
特許文献３の衣装情報管理システムは、ヒューマンエラーを排除した確実な紐付け作業を支援できるようにすることを目的として、衣装を管理するために個々の衣装を確実に識別し、識別した情報を元に衣装の利用実績、予定などを管理するもので、具体的には、衣装を識別してその情報とＲＦＩＤタグを紐付けして、その後はＲＦＩＤタグを読み取ることで、間違いなく衣装を特定してその情報を参照するものである。
【００１１】
第４の例は、複数のユーザの端末と、インターネット上におけるＷｅｂサイトを通じて通信可能な衣装レンタルシステムにおいて、貸したい会員の端末から衣装の登録を受け付けて登録情報としてデータベースに登録する登録手段と、前記登録手段により登録された衣装をＷｅｂサイト上に表示する表示手段と、前記表示手段により表示された画面より行われる借りたい会員からの衣装の予約を受け付ける管理手段と、衣装の貸し出しが成立した際、貸し出した会員から衣装の借り受け代金を受け取るとともに、当該衣装の持ち主に貸し出しの口銭を支払う会計手段と、を備えたインターネット衣装レンタルシステムである。（例えば、特許文献４）。
【００１２】
特許文献４のインターネット衣装レンタルシステムは、インターネットを用いて広く手軽に利用可能とするとともに、ユーザの利用価値を大きくする仕組みを有し、さらに構成を簡素化することでコストダウンを図り、これにより、貸し出し料金を低減することを目的として、個人が着ていない衣装を気軽に貸し出しできる仕組みを有するもので、貸衣装企業がその衣装を保管し、ユーザに貸し出しができた場合、貸出料金の一部を貸し出した会員に還元する仕組みを構築したものである。利用者は、着ていない衣装をいわば資産運用できることになりメリットが大きく、また、保有のスペースもなくなり利用価値が高い。さらに、貸したい会員が自分の衣装を着たい場合は、事前に予約を入れればいつでも自分の服を着ることもでき利便性が高い。一方、貸衣装企業は、これら貸し出し登録された多数の個人衣装を当スキームに加盟する貸衣装企業で共有在庫化することが可能となり、衣装の保有コストを大幅に削減することができる。またその結果、貸し出し料金を大幅に低減できるメリットもあり、ビジネス拡大を図ることができる。
【００１３】
第５の例は、識別情報を格納した記憶媒体が付され、ユーザサイドと供給サイド間を循環するユニットを用いたリユース製品の流通管理システムであって、製品情報、ユーザ情報及びユニットの情報を格納したデータベースを有するサーバと、表示手段及びユニットの識別情報読取手段を有する回収クライアントと、表示手段及びユニットの識別情報読取手段を有する出荷クライアントと、を備え、回収クライアントがユニットの回収時にユニットの識別情報をサーバに送信し、サーバが回収クライアントからの送信データに基づき、供給サイドにおける製品の合計数量、及びユーザサイドにおける製品の合計数量を算出し、データベースを更新するステップと、出荷クライアントがユニットの出荷時にユーザ情報及びユニットの識別情報をサーバに送信し、サーバが出荷クライアントからの送信データに基づき、ユーザサイドにおける製品の合計数量を算出し、データベースを更新するステップと、を有し、回収クライアント及び出荷クライアントは、サーバからの送信データに基づき、ユーザサイド及び供給サイドにおける製品の合計数量並びに製品の総数量を出力可能とするリユース製品の流通管理システムである（例えば、特許文献５）。
【００１４】
特許文献５のリユース製品の流通管理システムは、リネン類などのリユース製品にＩＣタグ等を付すことなく、ユーザサイドに流通しているリネン類の数量を管理することを目的として、リネン室から回収される空のかよい箱の管理数量（収容量）を把握することで、次回に回収される使用済品の量を予測可能とし、ユーザサイド及び工場サイドにおけるリネン類の流通管理を適時把握することを実現する。なお、リネン類が複数アイテム例えば、タオル、シーツ、浴衣等からなる場合には、アイテム毎に、所在場所毎のリユース製品の総数量及び／又はかよい箱の総管理数量を出力可能とする。このため、流通を止めなくとも空のかよい箱の情報に基づき生産設備における数量と客室における数量を把握することが可能であり、また、ユーザサイドと工場サイドのそれぞれにおけるリネン類の数量を把握することができる。しかも、製品の１点１点にタグを付する必要がなく、さらにユーザサイドに特別な設備を設ける必要が無いため、導入容易性に優れ、運用負荷も低く、その実用性が高い。
【先行技術文献】
【特許文献】
【００１５】
【特許文献１】特開平５−２５９７号公報
【特許文献２】特開２００１−２６１１１８号公報
【特許文献３】特開２００９−７００１０号公報
【特許文献４】特開２００９−１０４２９４号公報
【特許文献５】特開２００９−１８１１６８号公報
【発明の概要】
【発明が解決しようとする課題】
【００１６】
しかしながら、上記特許文献１〜５等の従来のリサイクルあるいはレンタルシステムは、特定のホテル、工場、病院、飲食店、レンタルブティック、個人あるいはブライダル産業やアパレル関連、及び貸衣装などで使用される衣服やリネン、ユニフォーム、布団、寝具、インテリア用品等を対象としており、各種イベントで着用又は使用されるエプロン、ハチマキ、アームカバー、ハッピ、シャツ類、ジャケット類、着物、コスプレを含む各種衣料品あるいはのぼり旗、暖簾、テーブルカバー、バナースタンド、テント類を含む繊維製品又は布製品等の各種イベントグッズには着目されていない。
さらに、資源枯渇、地球温暖化、生態系影響、健康影響、酸性化、オゾン層破壊、あるいは生活環境影響等への配慮もなく、省エネルギー・節水型で低公害・低エミッション型の製品・サービスや有害物質や環境汚染物質を削減した製品・サービスにも一切触れていない等々の問題点がある。
【００１７】
本発明は、このような従来の問題点を解決するためになされたものであり、資源枯渇、地球温暖化、生態系影響、健康影響、酸性化、オゾン層破壊、生活環境影響等への対応を図るとともに、省エネルギー・節水型で低公害・低エミッション型で有害物質や環境汚染物質を削減した製品・サービスを実現する経済的なＲＥＧレンタルシステムを提供することを目的とする。
【課題を解決するための手段】
【００１８】
上記目的を達成するため、請求項１の発明のリサイクルイベントグッズ（以下、ＲＥＧという）レンタルシステムは、各種のイベントを開催し、その際に前記ＲＥＧを使用してくれるユーザに対して、前記イベントを象徴する文字、符記号及び図形の一部又は全部からなる図柄をプリントして形成されたプリントマークをＲＥＧ本体に取付けてなる前記ＲＥＧをレンタルする段階と、前記イベント終了後に前記ユーザから前記レンタルしたＲＥＧを回収して前記使用済みのＲＥＧから前記プリントマークを取外し、クリーニングし、選択的に部分的補修してＲＥＧ本体を再生する再生段階と、を少なくとも有し、新たに前記ユーザ又は別のユーザに対して、そのイベントを象徴する新たなプリントマークを前記再生したＲＥＧ本体に取付け直した上で繰返しレンタルすることを特徴とする。
【００１９】
請求項２の発明は、請求項１記載のＲＥＧレンタルシステムであって、前記ＲＥＧ本体を製作するＲＥＧ製造部署と、前記プリントマークを作成して前記ＲＥＧ本体に取付けるマーク製造部署と、予め前記ユーザのイベント内容を取纏めた上で、前記プリントマークを取付けたＲＥＧを前記ユーザに発送し、使用済みの前記ＲＥＧを前記ユーザから回収するイベント取纏め部署と、前記回収した使用済みのＲＥＧから前記プリントマークを取外し、クリーニングし、選択的に部分的補修を行なって再生ＲＥＧ本体とするＲＥＧ再生部署と、前記ＲＥＧの、前記イベント取纏め部署からのレンタル受注、前記ＲＥＧ製造部署への発注、前記マーク製造部署への前記プリントマーク作成・取付け発注、及び前記ＲＥＧ再生部署への再生発注を含む全体取纏めを行うシステム取纏め部署と、を有することを特徴とする。
【００２０】
請求項３の発明は、請求項２記載のＲＥＧレンタルシステムであって、前記ＲＥＧ又は前記ＲＥＧ本体を繰返し使用可能な収容手段内に収容して前記部署間を運送する運送部署をさらに有することを特徴とする。
【００２１】
請求項４の発明は、請求項３記載のＲＥＧレンタルシステムであって、前記収容手段は、耐水性及び耐久性を有し、繰返し使用及び再生可能なプラスチックを含む環境配慮型素材からなるダンボール型又は折畳み型ボックスであることを特徴とする。
【００２２】
請求項５の発明は、請求項１又は請求項２記載のＲＥＧレンタルシステムであって、前記レンタルされたＲＥＧは、前記再生段階で部分的補修を含む再生可能な良品を選択して再生され、大幅な補修が必要で採算性の無い不良品及び使用後取外されたプリントマークは、破砕後に新製品再生又は廃却を含む処理を行なうリサイクル部署に引取られることを特徴とする。
【００２３】
請求項６の発明は、請求項５記載のＲＥＧレンタルシステムであって、前記ＲＥＧは、再生可能な環境配慮型素材から形成され、前記イベントで使用済みの不良品は前記リサイクル部署で破砕後新たな再生品にリサイクルされることを特徴とする。
【００２４】
請求項７の発明は、請求項１乃至請求項６のいずれか１項記載のＲＥＧレンタルシステムであって、前記ＲＥＧは、各種イベントで着用されるエプロン、ハチマキ、アームカバー、ハッピ、シャツ類、ジャケット類、着物、コスプレ、及び腕章を含む各種衣料品のいずれか、あるいは、のぼり旗、暖簾、テーブルカバー、バナースタンド、及びテント類を含む繊維製品又は布製品のいずれかであることを特徴とする。
【００２５】
請求項８の発明は、請求項１乃至請求項７のいずれか１項記載のＲＥＧレンタルシステムであって、前記ＲＥＧは、再生ポリエステル繊維、再生ＰＥＴ繊維、羊毛繊維、麻繊維、綿繊維、バナナ繊維、竹繊維、トウモロコシ繊維、及び廃植物繊維を含むエコ繊維のいずれかから形成されることを特徴とする。
【００２６】
請求項９の発明は、請求項１、請求項２、請求項５乃至請求項８のいずれか１項記載のＲＥＧレンタルシステムであって、前記プリントマークは、剥離性を有する紙又はフィルムに、スクリーン、オフセット、インクジェット、及びカラーコピーを含む印刷技法のいずれかを用いて前記図柄が加工され形成された表現層と、前記表現層の上に洗濯、摩擦、伸びに対して耐久性を有するウレタン、アクリルを含む合成樹脂がスクリーン印刷にて形成された中間層と、前記表現層及び中間層の上にスクリーン印刷を利用しウレタン、ナイロン、ポリエステルを含む熱可塑性樹脂が形成されてなり、前記ＲＥＧ本体に接着する接着層と、からなり、前記中間層は、前記耐久性強度に対応して前記スクリーン印刷の加工回数が選定されるとともに、前記接着層は、再剥離性を有する接着強度を保つように、前記ＲＥＧの素材に応じて熱可塑性樹脂の種類及び厚みが決定され、前記ＲＥＧに接着し取付け後、前記ＲＥＧから剥離して取外し可能に形成されることを特徴とする。
【００２７】
請求項１０の発明は、請求項１、請求項２、請求項５乃至請求項８のいずれか１項記載のＲＥＧレンタルシステムであって、前記プリントマークは、スクリーン、オフセット、インクジェット、及びカラーコピーを含む印刷技法のいずれかを用いて、前記ＲＥＧ本体の素材に対応するような接着強度及び再剥離性を有する接着剤をインクに混入して、前記図柄を前記ＲＥＧ本体に直接プリントすることにより、前記ＲＥＧ本体に取付け後、前記ＲＥＧ本体から剥離して取外し可能に形成されることを特徴とする。
【００２８】
請求項１１の発明は、請求項１乃至請求項１０のいずれか１項記載のＲＥＧレンタルシステムであって、前記ＲＥＧには、複数回のレンタル使用に耐える素材から形成され、個々の前記ＲＥＧを識別してコンピュータ管理するための特定のＲＥＧ識別手段が取付けられることを特徴とする。
【００２９】
請求項１２の発明は、請求項１１記載のＲＥＧレンタルシステムであって、前記ＲＥＧ識別手段は、データの書込み及び読出し可能な電子タグ（又はＩＣタグ）であることを特徴とする。
【００３０】
請求項１３の発明は、請求項１乃至請求項１２のいずれか１項記載のＲＥＧレンタルシステムであって、前記ＲＥＧの、前記イベント取纏め部署からのレンタル受注、前記ＲＥＧ製造部署への発注、前記マーク製造部署へのプリントマーク作成・取付け発注、及び前記ＲＥＧ再生部署への再生発注を含む全体取纏めを前記電子タグ（又はＩＣタグ）と連携させたコンピュータ及びインターネットを介して一括管理するためのＲＥＧレンタル管理システムを備えることを特徴とする。
【００３１】
請求項１４の発明は、請求項１３記載のＲＥＧレンタルシステムであって、前記ＲＥＧレンタル管理システムは、前記ＲＥＧ識別手段が取付けられた個々のＲＥＧを識別して、ＲＥＧ識別手段の物件番号、ユーザ情報、ＲＥＧ固有情報、製造情報、運用情報及びレンタル条件を含む登録事項の在庫リストの作成を行う段階と、前記物件番号に対応する前記各登録事項の書込みを行う段階と、繰返し作業後の前記登録事項のＲＥＧ識別手段への書換えを行う段階と、納品書、請求書出しを含む財務・会計管理を行う段階と、前記ＲＥＧのレンタル状況の管理を行う段階と、を少なくとも有することを特徴とする。
【発明の効果】
【００３２】
請求項１の発明によれば、各種イベントを象徴するプリントマークを取付けイベントで使用するＲＥＧをレンタルした後で、返却され再生し新たにイベント開催ユーザに所望のプリントマークを取付け直して繰返しレンタルすることからＲＥＧを新たに作り直すことが大幅に減少するため、レンタルコストを大幅に低減するとともに、直接・間接的に省資源及び省エネルギーなど良好な地球環境保持に貢献する等々の効果がある。
【００３３】
請求項２の発明によれば、請求項１の発明と同様な効果を有するのに加えて、ＲＥＧレンタルシステムがシステム取纏め部署を中心にして、ＲＥＧ製造部署、マーク製造部署、ＲＥＧ再生部署、イベント取纏め部署が組織立てされ役割分担されることから効率よく運営される効果がある。
【００３４】
請求項３の発明によれば、請求項２の発明と同様な効果を有するのに加えて、運送部署でＲＥＧが繰返し使用可能な収容手段内に収容されるため、ＲＥＧの各部署間への運送の効率性及び経済性が確保される効果がある。
【００３５】
請求項４の発明によれば、請求項３の発明と同様な効果を有するのに加えて、ＲＥＧが耐水性及び耐久性を有し、繰返し使用及び再生可能なプラスチックを含む環境配慮型素材からなるダンボール型又は折畳み型ボックスに収容されるため、ＲＥＧの各部署間への運送の信頼性、効率性、経済性を一層向上させるとともに、さらに直接・間接的に省資源及び省エネルギーなど良好な地球環境保持に貢献する等々の効果がある。
【００３６】
請求項５の発明によれば、請求項１又は請求項２の発明と同様な効果を有するのに加えて、ＲＥＧが再生段階で部分的補修を含む再生可能な良品を選択して再生され、大幅な補修が必要な不良品及び使用後取外されたマークは、破砕後に新製品再生又は廃却など適宜処理するリサイクル部署に引取られることから、極力無駄をなくし省資源及び省エネルギーなど良好な地球環境保持等に一層貢献する効果がある。
【００３７】
請求項６の発明によれば、請求項５の発明と同様な効果を有するのに加えて、ＲＥＧが環境配慮型素材から形成され、イベントで使用済みの不良品はリサイクル部署で破砕後新たな再生品にリサイクルされることから、一切無駄をなくし省資源及び省エネルギーなど良好な地球環境保持等になお一層貢献する効果がある。
【００３８】
請求項７の発明によれば、請求項１乃至請求項６のいずれか１項の発明と同様な効果を有するのに加えて、ＲＥＧは、各種イベントで着用されるエプロン、ハチマキ、アームカバー、ハッピ、シャツ類、ジャケット類、着物、コスプレを含む各種衣料品、あるいは、のぼり旗、暖簾、テーブルカバー、バナースタンド、テント類を含む繊維製品又は布製品であることから、幅広くＲＥＧを新たに作り直すことが大幅に減少するため、レンタルコストをなお一層大幅に低減するとともに、省資源及び省エネルギーなど良好な地球環境保持等々をなお一層向上させる効果がある。
【００３９】
請求項８の発明によれば、請求項１乃至請求項７のいずれか１項の発明と同様な効果を有するのに加えて、ＲＥＧが、再生ポリエステル繊維、再生ＰＥＴ繊維、羊毛繊維、麻繊維、綿繊維、バナナ繊維、竹繊維、トウモロコシ繊維、廃植物繊維を含むエコ繊維から形成されることから、繰返しレンタルされた後最終的に全てリサイクル部署で破砕後容易に新たな再生品にリサイクルされるので、一切無駄をなくし省資源及び省エネルギーなど良好な地球環境保持等をさらに一層向上させる効果がある。
【００４０】
請求項９の発明によれば、請求項１、請求項２、請求項５乃至請求項８のいずれか１項の発明と同様な効果を有するのに加えて、プリントマークが、剥離性を有する所望の図柄が加工され形成された表現層、合成樹脂がスクリーン印刷にて加工された中間層及び熱可塑性樹脂が加工されＲＥＧに接着する接着層からなり、ＲＥＧに接着し取付け後に適宜剥離して取外し可能に形成されることから、レンタルした後の新たにイベント開催ユーザ用のＲＥＧへのプリントマークの取付け直しが容易化し、省資源及び省エネルギーなど一層良好な地球環境を保持する経済的なＲＥＧレンタルシステムを提供することができる。また、このように、予め接着層を有するプリントマークに所望の図柄を印刷しておき、後でＲＥＧに取付ける方法であり、特に転写プリントの場合は、ノーマルタイプ以外にラメ、蓄光、発泡、３Ｄ、フロッキー以外にも様々な特殊な加工ができるなどシルク印刷等では表現できないような特殊な処理や抜群にきれいなこだわりの図柄もできる等々の効果がある。
【００４１】
請求項１０の発明によれば、請求項１、請求項２、請求項５乃至請求項８のいずれか１項の発明と同様な効果を有するのに加えて、プリントマークが、スクリーン、オフセット、インクジェット、カラーコピーを含む印刷技法を用いて、ＲＥＧの素材に対応するようにインクに適宜な接着強度及び再剥離性を有する接着剤を混入して所望の図柄を前記ＲＥＧの生地に直接プリントすることにより、ＲＥＧに取付け後適宜剥離して取外し可能に形成されることから、レンタルした後の新たにイベント開催ユーザ用のＲＥＧへのプリントマークの取付け直しが容易化し、省資源及び省エネルギーなど一層良好な地球環境を保持する経済的なＲＥＧレンタルシステムを提供することができる。また、このようにインクで図柄をＲＥＧに直接プリントするため、所望通りの色でプリントが可能であるとともに別体のプリントマークを製造する工程が省かれ、ＲＥＧ数量が多くなるほど割安になる等々の効果がある。
【００４２】
請求項１１の発明によれば、請求項１乃至請求項１０のいずれか１項の発明と同様な効果を有するのに加えて、ＲＥＧには、個々のＲＥＧを識別する特定のＲＥＧ識別手段が取付けられていることから、ＲＥＧに対し、手作業による識別処理の必要がなく省力化され、高精度かつ安定した受注管理、在庫管理及びユーザ管理業務等の効率的な信頼性の高いコンピュータ管理ができる効果がある。
【００４３】
請求項１２の発明によれば、請求項１１の発明と同様な効果を有するのに加えて、ＲＥＧには、ＲＥＧ識別手段が電子タグ（又はＩＣタグ）であることから、ＲＥＧに対し、手作業による識別手段の取付け・取外し等の処理の必要がなく繰り返し登録事項を書換え可能なため省力化され、一層高精度かつ安定した受注管理、在庫管理及びユーザ管理業務等の効率的な信頼性の高いコンピュータ管理ができる効果がある。
【００４４】
請求項１３の発明によれば、請求項１乃至請求項１２のいずれか１項の発明と同様な効果を有するのに加えて、ＲＥＧレンタル管理システムによりＲＥＧの、イベント取纏め部署からのレンタル受注、ＲＥＧ製造部署への発注、マーク製造部署へのプリントマーク作成・取付け発注、及びＲＥＧ再生部署への再生発注などの全体取纏めをコンピュータ及びインターネットを介して効率的かつ信頼性の高い管理をすることができる効果がある。
【００４５】
請求項１４の発明によれば、請求項１３の発明と同様な効果を有するのに加えて、ＲＥＧレンタル管理システムにより、ＲＥＧ識別手段とレンタル先ユーザ名、所属、使用者を含むユーザ情報や商品名、色、サイズを含む商品固有情報、製造メーカ、製造年月日、リサイクル部品情報を含む製造情報、初品投入日、前回納品日、回収日、洗濯回数、修理履歴を含む運用情報及びレンタル条件等の登録事項の在庫リストの作成、ＲＥＧ識別手段の物件番号に対応する各登録事項の書込み、繰返し作業後の前記登録事項のＲＥＧ識別手段への書換え、納品書、請求書出し、その他財務、会計管理、リサイクルＲＥＧのレンタル状況の管理などの一括管理の高精度、高効率かつ高信頼性が確保される効果がある。
【図面の簡単な説明】
【００４６】
【図１】本発明の一実施例のリサイクルイベントグッズ（ＲＥＧ）レンタルシステムを概念的に示すブロック図である。
【図２】本発明の一実施例のＲＥＧであるイベントウエアの写真説明図である。
【図３】本発明の一実施例のプリントマークの構成を概念的に示す部分断面図である。
【図４】（ａ）、（ｂ）は、本発明のそれぞれ別の実施例のＲＥＧであるイベントウエアのプリントマーク部を示す写真である。
【図５】（ａ）、（ｂ）は、本発明のそれぞれまた別の実施例のＲＥＧであるイベントウエア、腕章のプリントマーク部を示す写真である。
【図６】本発明のまた別の実施例のＲＥＧの商品郡を示す概念図である。
【図７】本発明のそれぞれまた別の実施例のＲＥＧで、（ａ）、（ｂ）はのぼり旗、（ｃ）、（ｄ）はバナースタンドの平面図である。
【図８】（ａ）、（ｂ）は、本発明のそれぞれまた別の実施例のＲＥＧである３枚の暖簾の平面図、６本のハチマキの概観図である。
【図９】本発明のさらに別の実施例のＲＥＧであるアームカバーの写真である。
【図１０】（ａ）、（ｂ）、（ｃ）は、本発明のそれぞれ一実施例のＲＥＧ識別手段である電子タグ、バーコード、ＱＲコードの平面図である。
【図１１】本発明の一実施例のＲＥＧレンタル管理システムのブロック図である。
【発明を実施するための形態】
【００４７】
以下、本発明のリサイクルイベントグッズレンタルシステムについて実施例の添付図面を参照して説明する。以下、「リサイクルイベントグッズ」を「ＲＥＧ」と略称する。
【００４８】
図１に示すように、本発明のリサイクルイベントグッズレンタルシステム１０は、各種のイベントを開催し、その際にＲＥＧを使用してくれるユーザ４１に、そのイベントを象徴する所望の文字、符記号及び図形の一部又は全部からなる図柄をプリントして形成されたプリントマークＭを、ＲＥＧ本体１０１に取付けてなるＲＥＧ  １００ａをレンタルする段階と、前記イベント終了後にユーザ４１から使用済みのＲＥＧ  １００ｂを回収して、ＲＥＧ  １００ｂからプリントマークＭを取外し、クリーニングし、必要に応じて部分的補修を行なってＲＥＧ本体を再生する再生段階と、を少なくとも有する。
前記再生したＲＥＧ本体１００ｃは、新たなユーザに、イベントを象徴する所望のプリントマークＭを取付け直して繰返しレンタルされる。
【００４９】
ＲＥＧレンタルシステム１０は詳しく説明すると、図１に示すように、各種ＲＥＧ本体１００を製作するＲＥＧ製造部署２１と、イベントを象徴するプリントマークＭを作成し、ＲＥＧ本体１０１（新品のＲＥＧ本体１００又は再生したＲＥＧ本体１００ｃ）に取付けてＲＥＧ  １００ａを仕上げるマーク製造部署３０と、このＲＥＧ  １００ａをユーザ４１に発送し、使用済みのＲＥＧ  １００ｂを回収するイベント取纏め部署４０と、回収したＲＥＧ  １００ｂからプリントマークＭを取外し、クリーニングし必要に応じて部分的補修を行なって再生ＲＥＧ本体１００ＣとするＲＥＧ再生部署５０と、これらＲＥＧの、イベント取纏め部署４０からのレンタル受注、ＲＥＧ製造部署２１への発注、マーク製造部署３０へのプリントマークＭの作成・取付け発注、及びＲＥＧ再生部署５０への再生発注など全体取纏めを行うシステム取纏め部署（以下、ＳＩという）２０と、これらのＲＥＧをそれぞれ繰返し使用可能なボックスなどの収容手段（図示しない）内に収容して前記各部署を、２０→３０→４０→５０→６０、あるいは２０⇔２１、４０⇔４１間をそれぞれ運送する運送部署７０と、が組織立てられ役割分担される。これにより、ＲＥＧレンタルシステム１０は効率よく運営される。
【００５０】
なお上述のサイクルに先立って、イベント取纏め部署４０は、ユーザ４１と折衝の上、イベント内容を取纏める。このイベント内容は、ユーザ４１のイベントに関わるＲＥＧのデザイン、素材、数量、プリントマークＭの内容、レンタル条件を含んでなる。
【００５１】
上記のＲＥＧ  １００がイベントで着用される衣料品（以下、「リサイクルイベントウエア」（ＲＥＷ）という）の場合、その代表例としてジャケットのイメージを図２に示す。
ここで、ＲＥＧ製造部署２１で新たに製作されたＲＥＧ（ＲＥＷ）本体１００にマーク製造部署３０でプリントマークＭが取付けられてＲＥＧ（ＲＥＷ）  １００ａとなり、ＲＥＧ（ＲＥＷ）  １００ａがユーザ４１にレンタル、使用された後にイベント取纏め部署４０経由で回収されて使用済みＲＥＧ（ＲＥＷ）  １００ｂとなり、ＲＥＧ（ＲＥＷ）  １００ｂがＲＥＧ再生部署５０でプリントマークＭが取外され、洗濯・補修されて再生ＲＥＧ（ＲＥＷ）本体１００ｃとなる。
この１サイクルの最終成果であるＲＥＧ（ＲＥＷ）本体１００ｃは、システム取纏め部署（ＳＩ）２０に返却され、再びＳＩ  ２０→マーク製造部署３０→イベント取纏め部署４０→イベント開催ユーザ４１→イベント取纏め部署４０→ＲＥＧ再生部署５０→ＳＩ  ２０と流れるサイクルが繰り返される。
【００５２】
運送部署７０で前記ＲＥＧをそれぞれ収容する収容手段は、耐水性及び耐久性を有し、繰返し使用及び再生可能なプラスチックを含む環境配慮型素材からなるダンボール型あるいは折畳み型ボックス（例えば、ヤマト包装技術研究所株式会社の商品名「クロネコボックス」、折畳み可能な「クロネコオリコン」、など）が好適で、これにより、前記ＲＥＧの各部署間の運送の信頼性、効率性、経済性及び良好な地球環境保持性が確保される。この場合、複数のボックスを幾つかのコンテナに収容して運送してもよい。
【００５３】
なお、ここで前記の各「部署」は、実際にはそれぞれ独立した「業者」であるか、ある業者が幾つかのあるいは全部署を所有する場合など、種々の形態が考えられる。また、イベント取纏め部署４０を省いて直接ユーザ４１と遣り取りするようなＳＩ  ２０→マーク製造部署３０→ユーザ４１→ＲＥＧ再生部署５０→ＳＩ  ２０間でのサイクルが繰り返される変形形態も考えられる。
【００５４】
図２のＲＥＧ（上記のように衣料品の場合、ＲＥＷともいう）  １００ａは、ＲＥＧ（ジャケット）本体１０１に２種類のマークＭ１、Ｍ２が、裏地の襟元には後述するＲＥＧ識別手段Ｔがそれぞれ取付けられている。
【００５５】
本発明の一実施形態のプリントマークＭは、図３に示すように、剥離性を有する紙又はフィルム１にスクリーン、オフセット、インクジェット、及びカラーコピーを含む印刷技法のいずれかを用いて所望の図柄が加工され形成された表現層２と、表現層２の上に洗濯、摩擦、伸びに対して耐久性を有するウレタン、アクリルを含む合成樹脂がスクリーン印刷にて形成された中間層３と、表現層２及び中間層３を加工した上にスクリーン印刷を利用しウレタン、ナイロン、ポリエステルを含む熱可塑性樹脂が形成されてなり、ＲＥＧ本体に接着する接着層４と、が積層されてなる。
【００５６】
中間層３は、前記耐久性強度に対応して前記スクリーン印刷の加工回数が選定される。
【００５７】
接着層４は、再剥離性を有する適宜な接着強度を保つように、ＲＥＧ（ＲＥＷ）本体１０１の素材に応じて熱可塑性樹脂の種類及び厚みが決定され、ＲＥＧ（ＲＥＷ）本体１０１に接着し取付けてＲＥＧ（ＲＥＷ）  １００ａに仕上げた後、ＲＥＧ（ＲＥＷ）  １００ａをレンタル後返却された使用済みＲＥＧ（ＲＥＷ）  １００ｂから、再生段階で剥離してプリントマークＭを取外し可能に形成される。これにより、レンタルしクリーニングされ再生された後のＲＥＧ（ＲＥＷ  ）１００ｃに新たにイベント開催ユーザ用のプリントマークＭを取付け直すことが容易になる。
【００５８】
また、本発明の別の実施形態のプリントマークＭは、スクリーン、オフセット、インクジェット、及びカラーコピー等のいずれかの印刷技法を用いて、ＲＥＧ（ＲＥＷ）本体１０１の素材に対応するような接着強度及び再剥離性を有する接着剤をインクに混入して、ＲＥＧ（ＲＥＷ）本体１０１に前記図柄を直接プリントすることにより、ＲＥＧ（ＲＥＷ）本体１０１に取付け後、例えば前記再生段階で、前記ＲＥＧ（ＲＥＷ）本体１０１から剥離して取外し可能に形成される。
【００５９】
このような印刷技法は、公知の技術を適用できるので詳細な説明は省略するが、ここに用いるインクは比較的高粘度な擬塑性流動性を有し、また印刷法としてインク転移率を高くすることもできるので、インキ膜が厚く、転移量のコントロールにより濃度域が広くなり、重量感に優れたプリントマークＭを形成できる。また、インクの乾燥には周知の各種方式を応用でき、幅広いバインダーあるいは接着剤の選定により広範囲に亘る被印刷体であるＲＥＧ本体１０１への適用、及び高度な皮膜性能が確保できる。特にスクリーン印刷は、他の印刷法（凸版、グラビア、フレキソ、オフセットなど）では印刷困難な被印刷物を中心に多くの産業製品に広く利用されており、特に美粧性及び機能性が必要な用途に展開される。
【００６０】
インクに混入する再剥離性を有する接着剤は、ＲＥＧ（ＲＥＷ）本体１０１の素材に適応する各種公知のものを選択的に適宜調合して利用できるので、詳細な説明は省略する。
【００６１】
使用済みＲＥＧ（ＲＥＷ）  １００ｂは、ＲＥＧ再生部署５０における再生段階で部分的補修を含む再生可能な良品を選択して、ＲＥＧ（ＲＥＷ）本体１００ｃに再生され、大幅な補修が必要で採算性の無い不良品のＲＥＧ（ＲＥＷ）  １００ｂ及びレンタル後ＲＥＧ（ＲＥＷ）  １００ｂから取外されたプリントマークＭは、破砕後に新製品再生又は廃却など適宜処理するリサイクル部署（図示せず）に引取られる。
【００６２】
したがって、プリントマークＭ及び新品ＲＥＧ（ＲＥＷ）本体１００は、環境配慮型素材、例えば再生ポリエステル繊維、再生ＰＥＴ繊維、羊毛繊維、麻繊維、綿繊維、バナナ繊維、竹繊維、トウモロコシ繊維（例えば商品名、色、サイズを含む商品固有情報「ラクトロン」など）、廃植物繊維を含むエコ繊維などから形成され、イベントで使用済みの不良品はリサイクル部署で破砕後新たな再生品にリサイクルされることが望ましい。
【００６３】
このように構成された本発明のＲＥＧレンタルシステム１０は、各種イベントを象徴するプリントマークＭを取付けイベントで使用するＲＥＧ  １００ａをレンタルした後で、返却され再生し新たに同一の、又は別のイベント開催ユーザ４１に所望のプリントマークＭを取付け直して繰返しレンタルでき、ＲＥＧ（リサイクルイベントグッズ）本体を新たに作り直す必要を大幅に削減できるので、レンタルコストを大幅に低減するとともに、直接・間接的に省資源及び省エネルギーなど良好な地球環境保持に貢献することができる。
【００６４】
さらに、プリントマークＭ及びＲＥＧ本体１０１は、環境配慮型素材から形成され、イベントで使用済みの不良品はリサイクル部署で破砕後新たな再生品にリサイクルできるので、一切無駄をなくし省資源及び省エネルギーなど良好な地球環境保持等になお一層貢献することができる。
【００６５】
ＲＥＧ  １００ａとしては、各種イベントで着用されるエプロン（図示しない）、ハチマキ１００Ｇ（図８（ｂ））、アームカバー（図９）、ハッピ、シャツ類、ジャケット類、着物、コスプレ、腕章（図５（ｂ））などの各種衣料品（ＲＥＷ）（図４（ａ）（ｂ）、図５（ａ）（ｂ）参照）あるいはのぼり旗、暖簾、テーブルカバー、バナースタンド、テント類などの繊維製品又は布製品（図６〜８参照）等が挙げられる。
【００６６】
また、ＲＥＧ本体１０１には、複数回のレンタル使用に耐える素材から形成され、個々のＲＥＧ本体１０１を識別してコンピュータ管理するための特定のＲＥＧ識別手段Ｔが取付けられる。
【００６７】
ＲＥＧ識別手段Ｔとしては、例えば、図１０に示すようなデータの書込み及び読出し可能な電子タグ（又はＩＣタグ）Ｔ１、バーコードＴ２あるいはＱＲコードＴ３などが考えられる。
【００６８】
バーコードＴ２やＱＲコードＴ３は、低コストであるが、データの書換えができない欠点がある。
【００６９】
一方、電子タグ（又はＩＣタグ）Ｔ１は、リーダー及びライターなどが必要でシステムが高価となるが、データの書換えができるので、ＲＥＧ本体１０１に対し、手作業による識別手段の取付け・取外し等の処理の必要がなく繰り返し登録事項を書換え可能なため省力化され、高精度かつ安定した受注管理、在庫管理及びユーザ管理業務等の効率的な信頼性の高いコンピュータ管理ができる。
【００７０】
また、ＲＥＧレンタルシステム１０は、ＳＩ  ２０が行なう、イベント取纏め部署４０からのＲＥＧ  １００ａのレンタル受注、ＲＥＧ製造部署２１へのＲＥＧ本体１０１の発注、マーク製造部署３０へのＲＥＧ本体１０１に対するプリントマークＭの作成及び取付け発注、ならびにＲＥＧ再生部署５０へのＲＥＧ  １００ｂの再生発注を含む全体取纏めを、前記電子タグ（又はＩＣタグ）Ｔ１と連携させたコンピュータ（ＰＣ）及びインターネットを介して一括管理するためのリサイクルイベントグッズレンタル管理システム（以下、「ＲＥＧレンタル管理システム」という）６０を備える。
【００７１】
以下に、ＲＥＧレンタル管理システム６０について図１１を参照し説明する。
【００７２】
ＲＥＧレンタル管理システム６０は、電子タグＴ１を利用し、イベント開催ユーザ４１からのクイックデリバリーの要求に答えるため、いずれも図示しないコンピュータ及びインターネットあるいは携帯電話機及び公衆通信回線などを介してリアルタイムなＲＥＧの受発注、在庫管理、出荷等の一連の管理を行う。
【００７３】
これらの電子タグＴ１やいずれも図示しないリーダライタ、コンピュータ及びインターネット、あるいは携帯電話機及び公衆通信回線などを利用した管理手段は、従来公知の技術を適用することができるので、詳細な説明は省略する。
【００７４】
ＳＩ  ２０は、イベント開催ユーザ４１からの要請を受けたイベント取纏め部署４０を介してＲＥＧ  １００ａを受注すると、イベント取纏め部署４０がユーザ４１と取纏めたイベントに関わるＲＥＧのデザイン、素材、数量、プリントマークＭの内容、レンタル条件、及び、その他のユーザ情報を含む受注情報をＲＥＧレンタル管理システム６０にインプットする。ここで、ユーザ情報は、レンタル先ユーザ名、所属、使用者などを含む。
【００７５】
ＲＥＧレンタル管理システム６０は、この受注情報をもとにＲＥＧ名、色、サイズなどのＲＥＧ固有情報を含むＲＥＧ登録やユーザ登録を行うとともに、ＲＥＧの在庫管理、出荷管理、伝票管理、伝票管理、回収管理などＲＥＧの種類、ユーザ毎に一連のトータル管理を行う。
【００７６】
ＲＥＧ本体１０１のデザインは、各種標準化され、その中から選択される選択制が導入される。各ＲＥＧ本体１０１の素材は、それぞれ前記環境配慮型素材の中から極力耐久性に富む同一素材が選定される。プリントマークＭは、図柄、大きさ等の内容、取付け位置などが決定される。
【００７７】
このようにして、ＲＥＧ本体１０１をピックアップし、これにＲＥＧ識別手段Ｔである電子タグＴ１を取付ける（ＲＥＧピックアップ・電子タグ取付け段階）。
【００７８】
電子タグＴ１が取付けられた個々のＲＥＧ本体１０１を識別して、電子タグＴ１の物件番号と、ユーザ情報と、ＲＥＧ固有情報と、製造メーカ、製造年月日、リサイクル部品情報などの製造情報と、初品投入日、前回納品日、回収日、洗濯回数、修理履歴を含む運用情報と、レンタル条件となどを含む登録事項の在庫リストの作成を行う（在庫リスト作成段階）。
【００７９】
次いで、電子タグＴ１の物件番号に対応する前記各登録事項の書込みを行う（登録事項書込み段階）。
【００８０】
ＲＥＧ本体１０１及びプリントマークＭの納期は、注文数量により決定されるが、通常１週間以内で納品するクイック納品（１Ｗ納品）制がとられる。ＲＥＧ本体１０１のデザイン及びプリントマークＭの内容が決定されると、以降、単品管理システムによりＲＥＧ本体１０１をマーク製造部署３０に出荷される。
【００８１】
マーク製造部署３０で作成されたプリントマークＭがＲＥＧ本体１０１に取付けられ仕上げられたＲＥＧ  １００ａが検品後イベント取纏め部署４０経由でイベント開催ユーザ４１に出荷される。
【００８２】
イベント開催ユーザ４１のイベント終了後、イベントで使用されたＲＥＧ  １００ｂは、イベント取纏め部署４０経由でＲＥＧ再生部署５０に発送される。
【００８３】
ＲＥＧ再生部署５０でＲＥＧ  １００ｂからプリントマークＭが取外され、良品と判定されたものはそのまま、部分的に修繕必要と判定されたものは修繕後にクリーニングして再生され、再生されたＲＥＧ本体１００ｃはＳＩ  ２０に返却される。
【００８４】
こうして、繰返しレンタル後再生されたＲＥＧ本体１００ｃの前記登録事項の電子タグＴ１への書換えを行い（登録事項書換え段階）、在庫管理が行われ、以降上記各段階（図１１参照）における納品書、請求書出し、その他財務、会計管理を含む一連のＲＥＧレンタル状況の管理が繰返し行われる。
【００８５】
なお、ＲＥＧ  １００ａの過去のレンタル内容は、インターネットのホームページ（ＨＰ）によりパスワードで視聴し確認するようにすることができる。
【００８６】
このように、電子タグＴ１、いずれも図示しないコンピュータ及びインターネットあるいは携帯電話機及び公衆通信回線を利用したＲＥＧ管理システム６０により、ＲＥＧを識別し、ユーザ情報、商品固有情報、製造情報、運用情報及びレンタル条件等の登録事項の在庫リストの作成、電子タグＴ１の物件番号に対応する各登録事項の書込み、繰返し作業後の前記登録事項の電子タグＴ１への書換え、納品書、請求書出し、その他財務、会計管理等々を含むＲＥＧの一連のレンタル状況の一括管理の高精度、高効率かつ高信頼性が確保される。
【産業上の利用可能性】
【００８７】
本発明のＲＥＧレンタルシステム１０は、特に各種イベントを象徴するプリントマークＭを取付けイベントで使用するＲＥＧ  １００ａをレンタルした後で、返却され再生し新たにイベント開催ユーザ４１に所望のプリントマークＭを取付け直して繰返しレンタルでき、新品ＲＥＧ本体１０１を新たに作る必要が大幅に減少できるので、レンタルコストを大幅に低減するとともに、直接・間接的に省資源及び省エネルギーなど良好な地球環境保持に貢献する等々の効果があり、イベント業界に限らず各種レンタル業界等にも好適に適用できる。
【符号の説明】
【００８８】
１        紙又はフィルム
２        表現層
３        中間層
４        接着層
１０      リサイクルイベントグッズ（ＲＥＧ）レンタルシステム
２０      システム取纏め部署（ＳＩ）
２１      ＲＥＧ製造部署
３０      マーク製造部署
４０      イベント取纏め部署
４１      （イベント開催）ユーザ
５０      ＲＥＧ再生部署
６０      リサイクルイベントグッズ（ＲＥＧ）レンタル管理システム
７０      運送部署
１００    新品のリサイクルイベントグッズ（ＲＥＧ）本体
１００ａ  プリントマークＭが取付けられたＲＥＧ
１００ｂ  使用済みＲＥＧ
１００ｃ  再生ＲＥＧ本体
１０１    ＲＥＧ本体（新品ＲＥＧ本体、又は再生ＲＥＧ本体）
【図１】
2011253508.tif 000003
【図２】
2011253508.tif 000004
【図３】
2011253508.tif 000005
【図４】
2011253508.tif 000006
【図５】
2011253508.tif 000007
【図６】
2011253508.tif 000008
【図７】
2011253508.tif 000009
【図８】
2011253508.tif 000010
【図９】
2011253508.tif 000011
【図１０】
2011253508.tif 000012
【図１１】
2011253508.tif 000013